(57)【要約】【課題】  希望する被印刷用紙に適切に印刷が出来るように、基準のカセットに希望用紙が入っているか、他のカセットに希望用紙が入っているかが直ぐ分からなく、適切な印刷指示が出せない問題があった。【解決手段】  給紙カセットの分離後の位置にセンサを設け、用紙有無、用紙種類(用紙表裏)、を検出する。  給紙カセット選択時(給紙準備時)に用紙の検出が出来、給紙前なので、印刷キャンセルや再選択が可能となる。  紙在る間は記憶しておくと、用紙確認に即答が可能。  なお、連れ重送も段差として検知、回避動作も可能。【選択図】  図１
2007145590.tif 000002
【特許請求の範囲】
【請求項１】
給紙カセットの用紙分離個所に被印字媒体の検知センサを配し、検出した媒体情報を本体へ伝達可能にした物。
【請求項２】
請求項1の検出センサに加え、該媒体情報の記憶手段を有し、該記憶情報に基づいて媒体情報を本体へ伝達可能に構成した物。
【請求項３】
請求項2に加え、用紙有無を検出する手段を有し、用紙無しの状態を記憶あるいは媒体情報記憶手段の消去行うように構成した物。
【請求項４】
請求項1の検出センサの機能として、該媒体の給送開始時に、媒体の給紙状況の判断を行い、重送状態の検出を可能にした物。
【請求項５】
請求項4に加え、重送状態の検出時に戻し給送を行う事で重送状況の回避を可能にした物。
【発明の詳細な説明】
【技術分野】
【０００１】
印刷装置の給紙カセットに於ける媒体検知センサに関する物である。
【背景技術】
【０００２】
印刷機、特に遠隔印刷を行う場合に、印刷したい用紙選択が必要である。
【０００３】
また、用紙種類を確認してその媒体の表面特性に応じたインク量で印刷する等の画像処理をドライバーで行う必要がある。
【０００４】
しかしカセットに入っている媒体の種類は、一見しても分かり難く、ましては遠隔の場合には全く分からない。
【０００５】
給紙・印字方法にも依存するが、媒体の被印字面がカセット内では紙束下面に成る場合には、カセットを上から見ただけでは、媒体の印字面の状況は分からない用紙不明状態と言える。
【０００６】
従来カセットに於いても用紙サイズに関しては、機械的な用紙ガイド位置を用紙サイズに合わせる必要からも、選択手段を持つ物が多く、その選択結果を本体に伝達して、自動的に縮小・拡大印刷を行う様に構成している事が多い。
【特許文献１】特開H5-50683(（株）新興製作所)
【特許文献２】特開H10-25040(沖電気工業（株）)
【特許文献３】特開2003-191515(キヤノン・エヌ・ティー・シー（株）
【特許文献４】特開2003-112838(キヤノン（株）)
【特許文献５】特開2004-026470(日立ホーム・アンド・ライフ・ソリューション（株）)
【発明の開示】
【発明が解決しようとする課題】
【０００７】
希望する被印刷用紙に適切に印刷が出来るように、基準のカセットに希望用紙が入っているか？、他のカセットに希望用紙が入っているか？が直ぐ分からなく、適切な印刷指示が出せない問題があった。
【０００８】
また、給送開始時に用紙が連れられて重なりながら給紙、印刷され、出力が終わるまで分からないと言う問題があった。
【課題を解決するための手段】
【０００９】
本発明は、カセットの分離板近傍に用紙種類を判別する媒体センサを設ける。
【００１０】
カセット内に用紙種類の記憶手段を設け、用紙無しの場合は記憶を消去するようにした。
【００１１】
印刷ドライバーへは、記憶済みの媒体情報を使って、素早く媒体種別を反映可能にした。
【００１２】
また、同センサを用いて、用紙の給送状態の把握を行い、重ね送りを分離部分で検出し、逆転駆動によって用紙が重なりを解消可能にして、重なったまま印刷される事を防止する事が可能になった。
【発明の効果】
【００１３】
媒体センサをカセットの分離板近傍に設け、用紙の種類検出と重送の検出を可能にする事で、重送検出と先頭出し直しを含めた、給送状態の検出制御が可能になる。
【００１４】
用紙種類の記憶手段を設ける事で、カセット内の用紙状態にかかわらずドライバーからの問い合わせに即答する事が可能になる。
【００１５】
媒体センサをカセット出口に設けた為、用紙の先頭位置制御が可能になり、本体へのカセット挿入時に先頭送りを行って用紙種類を記憶し、先頭を戻す事も可能になり、上述の給送制御に有効に使える。
【発明を実施するための最良の形態】
【００１６】
図1は本発明の実施例で、用紙カセット1内の被印刷用紙2は「送り出しローラ」3で送り出され、給送ローラ4で印刷用に駆動されて、印刷ヘッド5によって印刷される。
【００１７】
下方はカセット部分の上面図である。
【００１８】
分離板6によって分離された用紙2の被印刷面を媒体センサ7で用紙種類を検出する様に構成している。
【００１９】
図2はセンサ部分の詳細図で、用紙12の突出を抑える「抑え板」13と分離板上の用紙有無を検出する為のスイッチ14で構成している。
【００２０】
センサ7は赤外LED16とフォトセンサ17から構成しており、用紙無しの時に「抑え板」13の反射部分でセンサの校正を行い、用紙の表面反射から用紙種類を検出するように構成している。
【００２１】
図3は重送時の詳細図で、分離板にもかかわらずに、「送り出しローラ」3によって、用紙12に重送用紙21がズレながら送られる場合がある。
【００２２】
その際は、センサ7の媒体表面に段差が生じる事となり、このセンサ出力変動を監視する事で重送を検出できる。
【００２３】
図4はフロー図で、給送開始31で給送順送32、媒体判別33、重送確認34でその重送を検出し、出力段差時は「給送戻し」35を行って、用紙が再度分離板を通過するように戻して、再度「給送順送」32を行う。
【００２４】
重送無く平準な場合は所定量給送を行う。なお、前述の分離板上スイッチ14やセンサ7の出力変化は、給紙のタイミングとして使用可能で、従来よりも正確な送り出し量や戻し量の検出と管理が可能になる。
【００２５】
通常は印刷開始にあったって、ホストはドライバーソフトの起動41を行い、本体情報を吸い上げようとする。
【００２６】
プリンタ本体は用紙情報を不図示の記憶手段に記憶した「カセットと通信」42を行い、カセットの情報の有無を問い合わせる。
【００２７】
用紙種類情報が在った場合、カセットからの用紙情報をホストに知らせ、この用紙情報に基づく印刷情報をホストがプリンタに指令して、印刷が始まる。
【００２８】
カセットに用紙種類情報がない場合は、新規に「カセットを挿入」45した場合と同様に、「先端送り」46で分離板まで至っていない用紙先端を送り出して、「媒体判別と該情報の記憶」47を行って、再度の問い合わせに即答できるように記憶を行い、用紙先端の突出を抑える為に「先端戻し」48を行って、媒体センサに届かなくなる個所まで用紙を戻して、カセットから突出したような不自然な状態を解消する。
【００２９】
逆に、所定量「送り出しローラ」3を駆動しても、スイッチ14で用紙が検出できない様な場合は、用紙無しなので、図4の「紙無し」51状態として、「記憶した媒体情報の消去とセンサの抑え板での白補正」52を行い、新たな用紙の供給を待つ。
【００３０】
理想的には、外したカセットへの用紙脱着状況を把握すべきだが、外したカセットにそこまでの機能を求める事は過剰な管理とも言えるために、本発明では実用的なカセット挿入時の確認に留めた。
【００３１】
連続頁の印刷途中に用紙種類が異なると検出した場合に関しては、停止してホストへの割り込み問い合わせを行う場合や、無視して連続印刷を行う事が考えられるが、詳細に関しては省略する。
【図面の簡単な説明】
【００３２】
【図１】本発明の実施例(断面図・上面図)
【図２】センサ部詳細
【図３】重送時詳細図
【図４】フローチャート
【符号の説明】
【００３３】
12,21  用紙
7  センサ
1  カセット
【図１】
2007145590.tif 000003
【図２】
2007145590.tif 000004
【図３】
2007145590.tif 000005
【図４】
2007145590.tif 000006